(57)【要約】【課題】マイバッグを持参した客に対して購入商品に応じて特典を付与することが可能となる。【解決手段】スキャナ３７により入力された商品コードに対し商品設定情報を基にＲＡＭ２３に商品販売データを記憶する。前記商品販売データにレジ袋区分情報が存在するか否かを判定する。前記レジ袋区分情報が存在しない場合には、ＲＡＭ２３に記憶されている商品体積合計値に基づいて前記レジ袋マスターファイル１６からレジ袋区分と必要枚数のレジ袋情報を算出する。マイバッグキー２９ｂによりマイバッグ宣言されると、前記レジ袋区分情報から割引額を算出する。算出された割引額をレシートに印字出力する。【選択図】      図７
2013041522.tif 000002
【特許請求の範囲】
【請求項１】
商品コードを入力する入力手段と、この入力手段により入力された前記商品コードに対する商品販売データの１商取引の決済締めを宣言する締め手段と、この締め手段により決済締めが宣言されると前記商品販売データに基づいて決済データ処理を行う商品販売データ処理装置において、
レジ袋区分別に収納容量と特典情報を設定記憶するレジ袋情報設定記憶部と、
前記商品コード毎に商品体積またはレジ袋区分情報の商品設定情報を記憶する商品情報設定記憶部と、
マイバッグの持参を宣言するマイバッグ宣言手段と、
前記入力手段により入力された前記商品コードに対して前記商品情報設定記憶部に記憶された前記商品設定情報を基に前記商品販売データを記憶する商品販売データ記憶部と、
この商品販売データ記憶部に記憶された前記商品販売データに前記レジ袋区分情報が存在するか否かを判定するレジ袋区分情報判定手段と、
このレジ袋区分情報判定手段により前記商品販売データ記憶部に前記レジ袋区分情報が存在しない場合には、前記商品販売データ記憶部に記憶されている商品体積合計値に基づいて前記レジ袋情報設定記憶部からレジ袋区分と必要枚数のレジ袋情報を算出するレジ袋情報算出手段と、
前記マイバッグ宣言手段によりマイバッグ宣言されると、前記レジ袋情報算出手段により算出された前記レジ袋情報から特典を算出する特典算出手段と、
この特典算出手段により算出された特典を記憶媒体に出力する特典出力手段と、
を備えたことを特徴とする商品販売データ処理装置。
【請求項２】
さらに、前面表示器および客面表示器を備え、
前記商品販売データ記憶部に記憶された前記商品販売データに前記レジ袋区分情報が存在するか否かを判定するレジ袋区分情報判定手段と、
このレジ袋区分情報判定手段により前記商品販売データ記憶部に前記レジ袋区分情報が存在した場合には、前記商品販売データ記憶部に記憶されているレジ袋区分と必要枚数のレジ袋情報を取得するレジ袋情報取得手段と、
このレジ袋情報取得手段により取得された前記レジ袋情報を前面表示器および客面表示器に表示するレジ袋情報表示手段と、
を備えたことを特徴とする請求項１記載の商品販売データ処理装置。
【請求項３】
商品コードを入力する入力手段と、この入力手段により入力された前記商品コードに対する商品販売データの１商取引の決済締めを宣言する締め手段と、この締め手段により決済締めが宣言されると前記商品販売データに基づいて決済データ処理を行う商品販売データ処理装置において、
レジ袋区分別に収納容量と特典情報を設定記憶するレジ袋情報設定記憶部と、
前記商品コード毎に商品体積またはレジ袋区分情報の商品設定情報を記憶する商品情報設定記憶部と、
前記入力手段により入力された前記商品コードに対して前記商品情報設定記憶部に記憶された前記商品設定情報を基に前記商品販売データを記憶する商品販売データ記憶部と、
この商品販売データ記憶部に記憶された前記商品販売データに前記レジ袋区分情報が存在するか否かを判定するレジ袋区分情報判定手段と、
このレジ袋区分情報判定手段により前記商品販売データ記憶部に前記レジ袋区分情報が存在しない場合には、前記商品販売データ記憶部に記憶されている商品体積合計値に基づいて前記レジ袋情報設定記憶部からレジ袋区分と必要枚数のレジ袋情報を算出するレジ袋情報算出手段と、
前記レジ袋情報算出手段により算出された前記レジ袋情報からレジ袋販売単価を取得するレジ袋販売単価取得手段と、
このレジ袋単価取得手段により取得されたレジ袋販売単価にレジ袋区分の必要枚数を乗算しレジ袋販売価格を算出するレジ袋販売価格算出手段と、
このレジ袋販売価格算出手段により算出された前記レジ袋販売価格を記憶媒体に出力するレジ袋販売単価出力手段と、
を備えたことを特徴とする商品販売データ処理装置。
【請求項４】
さらに、前面表示器および客面表示器を備え、
前記商品販売データ記憶部に記憶された前記商品販売データに前記レジ袋区分情報が存在するか否かを判定するレジ袋区分情報判定手段と、
このレジ袋区分情報判定手段により前記商品販売データ記憶部に前記レジ袋区分情報が存在した場合には、前記商品販売データ記憶部に記憶されているレジ袋区分の必要枚数にレジ袋販売単価を乗算し、レジ袋販売価格を算出するレジ袋販売価格算出手段と、
このレジ袋販売価格算出手段により算出された前記レジ袋販売価格を前面表示器および客面表示器に表示するレジ袋販売価格表示手段と、
を備えたことを特徴とする請求項３記載の商品販売データ処理装置。
【請求項５】
商品コードを入力する入力手段と、この入力手段により入力された前記商品コードに対する商品販売データの１商取引の締めを宣言する締め手段と、この締め手段により締めが宣言されると前記商品販売データに基づいて決済データ処理を行う商品販売データ処理装置に、
レジ袋区分別に収納容量と特典情報を設定記憶するレジ袋情報設定記憶機能と、
前記商品コード毎に商品体積またはレジ袋区分情報の商品設定情報を記憶する商品情報設定記憶機能と、
マイバッグの持参を宣言するマイバッグ宣言手段による宣言を受け付ける機能と、
前記入力手段により入力された前記商品コードに対して前記商品情報設定記憶機能に記憶された前記商品設定情報を基に前記商品販売データを記憶する商品販売データ記憶機能と、
この機能に記憶された前記商品販売データに前記レジ袋区分情報が存在するか否かを判定する機能と、
この機能による前記レジ袋区分情報が存在しない場合には、前記商品販売データ記憶機能に記憶されている商品体積合計値に基づいて前記レジ袋設定情報記憶機能からレジ袋区分と必要枚数のレジ袋情報を算出する機能と、
前記マイバッグ宣言手段によるマイバッグ宣言されると、前記レジ袋情報を算出する機能により算出された前記レジ袋情報から特典を算出する機能と、
この機能による算出された特典を記憶媒体に出力する機能と、
を実現させるためのプログラム。
【請求項６】
商品コードを入力する入力手段と、この入力手段により入力された前記商品コードに対する商品販売データの１商取引の決済締めを宣言する締め手段と、この締め手段により決済締めが宣言されると前記商品販売データに基づいて決済データ処理を行う商品販売データ処理装置に、
レジ袋区分別に収納容量と特典情報を設定記憶するレジ袋情報設定記憶機能と、
前記商品コード毎に商品体積またはレジ袋区分情報の商品設定情報を記憶する商品情報設定記憶機能と、
前記入力手段により入力された前記商品コードに対して前記商品情報設定記憶機能に記憶された前記商品設定情報を基に前記商品販売データを記憶する商品販売データ記憶機能と、
この商品販売データ記憶機能に記憶された前記商品販売データに前記レジ袋区分情報が存在するか否かを判定するレジ袋区分情報判定機能と、
このレジ袋区分情報判定機能により前記商品販売データ記憶機能に前記レジ袋区分情報が存在しない場合には、前記商品販売データ記憶機能に記憶されている商品体積合計値に基づいて前記レジ袋情報設定記憶機能からレジ袋区分と必要枚数のレジ袋情報を算出するレジ袋情報算出機能と、
前記レジ袋情報算出機能により算出された前記レジ袋情報からレジ袋販売単価を取得するレジ袋販売単価取得機能と、
このレジ袋単価取得機能により取得されたレジ袋販売単価にレジ袋区分の必要枚数を演算しレジ袋販売価格を算出するレジ袋販売価格算出機能と、
このレジ袋販売価格算出機能により算出された前記レジ袋販売価格を記憶媒体に出力するレジ袋販売単価出力機能と、
を実現させるためのプログラム。
【発明の詳細な説明】
【技術分野】
【０００１】
本発明の実施形態は、ＰＯＳ（Point Of Sales：販売時点データ管理）端末等の商品販売データ処理装置およびそのプログラムに関する。
【背景技術】
【０００２】
現在、環境保護に対してさまざまに取り組みがなされている。特に、ごみの処理の問題からスーパーマーケット等では商品購入により提供されるレジ袋の使用を低減させる取り組みがなされている。
【０００３】
たとえば、スーパーマーケットで商品購入した買物客自身がマイバッグを持参し、決済時に店舗が用意したレジ袋を辞退した場合には、一定のポイントの付与や割引額等の特典が付与する店舗がある。
【０００４】
このような店舗では、たとえば、レシートや客の所有する会員カード等に、ＰＯＳ端末等の商品販売データ処理装置により特典を付与することが可能なポイント処理方式が知られている（たとえば、特許文献１参照）。
【先行技術文献】
【特許文献】
【０００５】
【特許文献１】特開平５−６７２７４号公報
【発明の概要】
【発明が解決しようとする課題】
【０００６】
しかしながら、従来のポイント処理方式では、買物客がマイバッグを持参した場合に、一定のポイントのみを買物客に付与する方式である。すなわち、買物客が購入した商品に対応したレジ袋の使用量に対応した特典が付与されるわけではない。
【０００７】
このため、一定のポイントしか付与されないことによる不公平感から買物客は、レジ袋使用の低減の取り組みに対して積極的に参加することなく、なかなかマイバッグの利用については浸透しないという課題があった。
【０００８】
また、購入した商品に対応したレジ袋の選択をキャッシャが行うと、キャッシャの個々の感覚によるレジ袋の枚数や大きさに差が出る。これにより、キャッシャがレジ袋を選択するときに、キャッシャの感覚の違いによりポイントのバラッキが生じるために、買物客が不平感を感じることでクレームの原因となることやキャッシャが決済処理能力の低下等の要因となってしまう課題があった。
【０００９】
本発明の実施形態は、マイバッグを持参した買物客に対して、購入した商品を収納するレジ袋に相当する特典を付与することが可能とする商品販売データ処理装置およびそのプログラムを提供しようとするものである。
【課題を解決するための手段】
【００１０】
本発明の実施形態に係る商品販売データ処理装置は、商品コードを入力する入力手段と、この入力手段により入力された前記商品コードに対する商品販売データの１商取引の決済締めを宣言する締め手段と、この締め手段により決済締めが宣言されると前記商品販売データに基づいて決済データ処理を行う商品販売データ処理装置において、レジ袋区分別に収納容量と特典情報を設定記憶するレジ袋情報設定記憶部と、前記商品コード毎に商品体積またはレジ袋区分情報の商品設定情報を記憶する商品情報設定記憶部と、マイバッグの持参を宣言するマイバッグ宣言手段と、前記入力手段により入力された前記商品コードに対して前記商品情報設定記憶部に記憶された前記商品設定情報を基に前記商品販売データを記憶する商品販売データ記憶部と、この商品販売データ記憶部に記憶された前記商品販売データに前記レジ袋区分情報が存在するか否かを判定するレジ袋区分情報判定手段と、このレジ袋区分情報判定手段により前記商品販売データ記憶部に前記レジ袋区分情報が存在しない場合には、前記商品販売データ記憶部に記憶されている商品体積合計値に基づいて前記レジ袋情報設定記憶部からレジ袋区分と必要枚数のレジ袋情報を算出するレジ袋情報算出手段と、前記マイバッグ宣言手段によりマイバッグ宣言されると、前記レジ袋情報算出手段により算出された前記レジ袋情報から特典を算出する特典算出手段と、この特典算出手段により算出された特典を記憶媒体に出力する特典出力手段と、を備えたことを特徴とする。
【００１１】
また、本発明の実施形態に係る商品販売データ処理装置のプログラムは、商品コードを入力する入力手段と、この入力手段により入力された前記商品コードに対する商品販売データの１商取引の締めを宣言する締め手段と、この締め手段により締めが宣言されると前記商品販売データに基づいて決済データ処理を行う商品販売データ処理装置に、レジ袋区分別に収納容量と特典情報を設定記憶するレジ袋情報設定記憶機能と、前記商品コード毎に商品体積またはレジ袋区分情報の商品設定情報を記憶する商品情報設定記憶機能と、マイバッグの持参を宣言するマイバッグ宣言手段による宣言を受け付ける機能と、前記入力手段により入力された前記商品コードに対して前記商品情報設定記憶機能に記憶された前記商品設定情報を基に前記商品販売データを記憶する商品販売データ記憶機能と、この機能に記憶された前記商品販売データに前記レジ袋区分情報が存在するか否かを判定する機能と、この機能による前記レジ袋区分情報が存在しない場合には、前記商品販売データ記憶機能に記憶されている商品体積合計値に基づいて前記レジ袋設定情報記憶機能からレジ袋区分と必要枚数のレジ袋情報を算出する機能と、前記マイバッグ宣言手段によるマイバッグ宣言されると、前記レジ袋情報を算出する機能により算出された前記レジ袋情報から特典を算出する機能と、この機能による算出された特典を記憶媒体に出力する機能と、を実現させる。
【図面の簡単な説明】
【００１２】
【図１】本発明の第１および第２の実施形態に係るＰＯＳシステムの主要部構成を示す一例の模式図。
【図２】図１に示したストアコンピュータの商品マスターファイルの主要なデータ構造の一例を示す模式図。
【図３】図１に示したストアコンピュータのレジ袋マスターファイルの主要なデータ構造の一例を示す模式図。
【図４】図１に示したＰＯＳ端末の主要部構成の一例を示すブロック図。
【図５】図４に示したＰＯＳ端末のＲＡＭの主要なデータ構造の一例を示す模式図。
【図６】図４に示したＰＯＳ端末のキーボードのキーレアウトについて一例を示す平面図。
【図７】本発明の第１の実施形態に係るＰＯＳ端末のＣＰＵが実行する商品販売データ処理の主要なステップを示すフローチャート。
【図８】本発明の第２の実施形態に係るＰＯＳ端末のＣＰＵが実行する商品販売データ処理の主要なステップを示すフローチャート。
【発明を実施するための形態】
【００１３】
以下、本発明の実施形態に係る商品販売データ処理装置およびそのプログラムついて図面を用いて説明する。
【００１４】
なお、本発明の実施形態は、スーパーマーケット等に設置されているＰＯＳシステムのＰＯＳ端末などの商品販売データ処理装置およびそのプログラムに適用した場合について説明する。
【００１５】
（第１の実施形態）
図１は、本実施形態に係るＰＯＳシステム１１の主要部構成を示す模式図である。
【００１６】
図１に示すように、ＰＯＳシステム１１は、店舗のチェックアウトカウンタに設置された複数台のＰＯＳ端末１２と、店舗のバックヤードに設置されたストアコンピュータ１３とが通信回線であるＬＡＮ（Local Area Network）１４を介して接続されている。
【００１７】
前記ストアコンピュータ１３には、商品マスターファイル１５とレジ袋マスターファイル１６とが設けられている。
【００１８】
図２は商品設定情報等が格納された商品マスターファイル１５を示す説明図である。
【００１９】
図２に示すように、商品マスターファイル１５には、各商品につけられた固有の商品コードに対応して、商品名、単価、商品体積、レジ袋区分、必要枚数およびレジ袋のイメージ画像などの商品設定情報が格納されている。ここで、商品マスターファイル１５は、商品情報設定記憶部として機能する。
【００２０】
図３はレジ袋区分データ等が格納されたレジ袋マスターファイル１６を示す説明図である。
【００２１】
図３に示すように、レジ袋マスターファイル１６には、レジ袋をサイズによって区分するレジ袋区分に対応して、収納容量（リットル）、レジ袋販売単価、割引額、ポイントおよびイメージ画像等の情報が設定され格納されている。ここで、レジ袋区分のサイズは、たとえば、３サイズ（Ｌ、Ｍ、Ｓ）として収納容量が「Ｌ」に分類されるレジ袋の最大容量を１０．０Ｌ（リットル）、収納容量が「Ｍ」に分類されるレジ袋の最大容量を６．０Ｌ（リットル）、収納容量が「Ｓ」に分類されるレジ袋の最大容量を３．０Ｌ（リットル）に設定されている。
【００２２】
また、レジ袋区分の「Ｌ」には、たとえば、レジ袋販売単価を、５円、割引額を５円、ポイントを５に設定されている。「Ｍ」には、レジ袋販売単価を３円、割引額を３円、ポイントを３に設定されている。「Ｓ」には、レジ袋販売単価を２円、割引額を２円、ポイントを２に設定されている。すなわち、レジ袋のサイズが大きいほど大きな割引額およびポイント等の特典を付与するようにしている。
【００２３】
また、レジ袋を有料化で提供する場合には、レジ袋販売単価が設定されている。各サイズのレジ袋区分の必要枚数×レジ袋販売単価＝レジ袋販売価格になる。レジ袋販売価格に小計金額に加算されて合計金額になるようになっている。ここで、レジ袋マスターファイル１６は、レジ袋情報設定記憶部として機能する。
【００２４】
なお、このレジ袋マスターファイル１６は、ＰＯＳ端末１２のＨＤＤ４１（図４参照）へダウンロードされるようになっている。
【００２５】
図４は、本実施形態に係るＰＯＳ端末１２の主要部構成を示すブロック図である。
【００２６】
図４に示すように、ＰＯＳ端末１２は、制御部本体としてＣＰＵ（Central Processing Unit）２１を備えている。
【００２７】
また、ＣＰＵ２１が制御する主記憶部としてプログラムデータ等の固定的データを予め格納したＲＯＭ（Read Only Memory）２２、商品の販売データを記憶するための各種メモリエリアの記憶部を形成するＲＡＭ（Random Access Memory）２３とを備えている。
【００２８】
また、ＰＯＳ端末１２は、現在の日時を計時する時計部２４、前記ＬＡＮ１４を介して外部機器とのデータ通信を制御する通信インターフェース（Ｉ／Ｆ）２５、「登録」、「点検」、「精算」、「設定」等の各種業務モードを選択するためのモードスイッチ２６から選択信号を入力するととともにドロワを自動開放させるドロワ装置２７へ駆動信号を出力するＩ／Ｏポート２８、商取引に関する商品データを入力する入力手段として各種キーが配設されたキーボード２９から信号を取り込むキーボードコントローラ３０、タッチパネル付ディスプレイの前面表示器３１に商品販売データおよび１商取引の各種情報をキャッシャ向けに表示させる第１表示コントローラ３２、タッチパネル付ディスプレイの客面表示器３３に商品販売データおよび１商取引の各種情報を客向けに表示させる第２表示コントローラ３４、プリンタ３５によるレシート用紙へ印字とそれを制御するプリンタコントローラ３６、商品に付けられた商品コードのバーコードを光学的に読み込み、商品コードのバーコードを入力する入力手段として機能するスキャナ３７を接続して情報を取り込むスキャナインターフェース（Ｉ／Ｆ）３８、カードリーダ３９で読み取られたカードデータを読み取りデータの入力を行うカードリーダコントローラ４０、ＨＤＤ（Hard Disk Drive）４１にデータを書き込み、読取を行うＨＤＤコントローラ４２を備えている。
【００２９】
そして、前記ＣＰＵ２１と、ＲＯＭ２２、ＲＡＭ２３、時計部２４、通信インターフェース（Ｉ／Ｆ）２５、Ｉ／Ｏポート２８、キーボードコントローラ３０、第１表示コントローラ３２、第２表示コントローラ３４、プリンタコントローラ３６、スキャナインターフェース（I／Ｆ）３８、カードリーダコントローラ４０、ＨＤＤコントローラ４２等の各構成要素とは、アドレスバス、データバスなどのバスライン４３により電気的に接続している。
【００３０】
図５は、ＲＡＭ２３に形成される主要なメモリエリアの一例を示す模式図である。
【００３１】
図５に示すように、ＲＡＭ２３には、１商取引で販売される商品の商品コードに対応し商品名、単価、販売点数、販売金額、商品体積、レジ袋区分、必要枚数、イメージ画像および１商取引で販売される商品の合計金額、商品ごとの商品体積を合計した商品体積合計値Ｖ（体積合計手段）等のデータ項目からなる１商取引分の商品販売データを一時的に記憶する取引バッファ２３１と、マイバッグフラグＦを記憶するマイバッグフラグメモリ（マイバッグ情報記憶手段）２３２と、１商取引で販売された商品を収納するのに必要なレジ袋区分データを取得するためのレジ袋区分データメモリ２３３として、レジ袋区分「Ｌ」、「Ｍ」、「Ｓ」のサイズ別に、必要枚数「Ｌｎ」、「Ｍｎ」、「Ｓｎ」を計数エリアと、を形成している。
【００３２】
また、マイバッグフラグメモリ２３２のマイバッグフラグＦは、マイバックを持参した買物客との商取引であるとき“１”にセットされる
図６は、本実施形態に係るキーボード２９に設けられる主要なキーレアウトの一例を示す平面図である。
【００３３】
キーボード２９には、数値データを置数するための置数キー２９ａ、マイバッグキー２９ｂ、×キー２９ｃ、クリアキー２９ｄ、取消キー２９ｅ、ＰＬＵ（price look up）キー２９ｆ、小計キー２９ｇ、締め手段としての締めキー２９ｈ等のファンクションキーが配設されている。
【００３４】
マイバッグキー２９ｂは、購入商品を持ち帰るためのマイバッグを買物客が持参していることを宣言するマイバッグ宣言手段として機能する。これらのキーの一部または、全部は、タッチパネル付の前面表示器３１および客面表示器３３上のタッチキーとして設けてもよい。
【００３５】
次に、第１の実施形態のＰＯＳ端末１２は、図７のフローチャートに示す主要なステップでＣＰＵ２１が１商取引に関する商品販売データ処理を実行するようにプログラム構成されている。
【００３６】
ＣＰＵ２１は、ＲＯＭ２２に格納されたプログラムに従い１商取引の商品販売データ処理を実行するものとなっている。
【００３７】
はじめに、ＣＰＵ２１は、キーボード２９のマイバックキー２９ｂによりマイバック宣言が行われるのを待機する（ステップＳＴ１１）。
【００３８】
ＣＰＵ２１は、マイバッグ宣言手段によりマイバッグキー２９ｂがタッチ操作された場合には（ステップＳＴ１１のＹＥＳ）、ＣＰＵ２１は、マイバッグフラグメモリ２３２のマイバッグフラグＦを“１”にセットする（ステップＳＴ１２）。
【００３９】
一方、マイバッグキー２９ｂがタッチ操作されない場合には（ステップＳＴ１１のＮＯ）、次のステップＳＴ１３に進む。
【００４０】
次に、ＣＰＵ２１は、スキャナ３７の入力手段を介して商品に付けられたバーコードから商品コードが入力されると（ステップＳＴ１３）、ＣＰＵ２１は、商品販売データ処理を実行する（ステップＳＴ１４）。
【００４１】
すなわち、ＣＰＵ２１は、前記スキャナ３７などを介して入力された商品コードに基づいて通信インターフェース２５を介してストアコンピュータ１３の商品マスターファイル１５を検索して販売商品の商品名、単価、商品体積、レジ袋区分、必要枚数およびイメージ画像等からなる商品設定情報を取得し、取得した商品コードに対応する商品名、単価、販売点数、販売金額、商品体積、レジ袋区分、必要枚数およびイメージ画像等からなる商品販売データをＲＡＭ２３の取引バッファ２３１に格納処理する。
【００４２】
また、前面表示器３１および客面表示器３３に商品名、単価、販売点数等の商品販売データを表示させる。
【００４３】
ＣＰＵ２１は、小計キー２９ｇがタッチ操作されたか否かを判定する（ステップＳＴ１５）。
【００４４】
ＣＰＵ２１は、小計キー２９ｇがタッチ操作されていない場合には（ステップＳＴ１５のＮＯ）、ステップＳＴ１３の処理に戻る。
【００４５】
そして、ＣＰＵ２１は、小計キー２９ｇがタッチ操作されるまでの間、販売商品の商品コードが入力されるごとに（ステップＳＴ１３）商品販売データ処理（ステップＳＴ１４）を繰り返し実行する。
【００４６】
ＣＰＵ２１は、小計キー２９ｇにより小計処理が宣言されると（ステップＳＴ１５のＹＥＳ）、ＣＰＵ２１は、小計金額と商品体積合計値Ｖ等をＲＡＭ２３の取引バッファ２３１に格納するとともに、小計金額を前面表示部３１および客面表示部３３（表示器）に表示する。さらに、取引バッファ２３１に記憶された商品販売データにレジ袋区分が格納されているか否かを判定する（ステップＳＴ１６）。
【００４７】
ここで、レジ袋区分が格納されている場合には（ステップＳＴ１６のＹＥＳ）、レジ袋区分のサイズ（Ｌ、Ｍ、Ｓ）とそのサイズの必要枚数、レジ袋イメージ画像を前面表示部４２および客面表示部４３に表示させる（ステップＳＴ１７）。
【００４８】
一方、レジ袋区分が格納されていない場合には（ステップＳＴ１６のＮＯ）、ＲＡＭ２３の取引バッファ２３１に格納されている商品体積合計値Ｖに基づいて、レジ袋マスターファイル１６の各レジ袋区分（Ｌ、Ｍ、Ｓ）の収納容量に対し演算を行いレジ袋区分（Ｌ、Ｍ、Ｓ）と必要枚数を算出し、そのレジ袋区分と必要枚数およびイメージ画像を前面表示器３１および客面表示器３３に表示させる（ステップＳＴ１８）。
【００４９】
その後、ＣＰＵ２１は、マイバッグフラグＦをチェックしてマイバッグ取引であるか否かを判定する（ステップＳＴ１９）。
【００５０】
そして、マイバッグフラグＦが“１”にセットされている場合には（ステップＳＴ１９のＹＥＳ）、マイバッグ取引であるのでＣＰＵ２１は、特典換算処理を実行する（ステップＳＴ２０）。この特典換算処理は、ＲＡＭ２３の取引バッファ２３１に格納されているレジ袋区分と、その必要枚数から前記レジ袋マスターファイル１６に格納されているレジ袋区分（Ｌ、Ｍ、Ｓ）に対応する特典である割引額またはポイントを読み出し、読み出された割引額またはポイントに対して必要枚数を乗算し割引額またはポイントを算出する。たとえば、レジ袋区分「Ｌ」が必要枚数２、レジ袋区分「Ｍ」が必要枚数１の場合について説明をすると、レジ袋区分「Ｌ」が５ポイント×２枚数＝１０ポイント、レジ袋区分「Ｍ」が３ポイント×１枚数＝３ポイントで合計１３ポイントになる。すなわち、割引額も同様に、１３円なるので割引額が１３円を小計金額から割り引くことが可能になる。または、ポイントを１３が付与されるようになる。このように、マイバッグ宣言が行われたマイバッグ取引では、レジ袋区分のレジ袋の大きさや必要枚数に対して、割引額またはポイントを付与する特典が与えられることになる。なお、ポイントの付与は会員カードに記録することが可能となる。
【００５１】
ＣＰＵ２１は、決済処理の締め手段である締めキー２９ｈがタッチ操作されたか否かを判定する（ステップＳＴ２１）。
【００５２】
ここで、ＣＰＵ２１は、締めキー２９ｈがタッチ操作されたと判定すると（ステップＳＴ２１のＹＥＳ）、１商取引の決裁の締め処理を実行する（ステップＳＴ２２）。
【００５３】
ＣＰＵ２１は、１商取引の決裁の締め処理において、現金取引の場合には、１商取引の商品販売データから算出された合計金額と、置数キー２９ａに入力された預かり金額とから釣銭額を算出するとともに、算出した釣銭額を前面表示器３１および客面表示器３３に表示させる。また、レシート用紙に商品販売データとして商品情報、小計金額、割引金額（ポイント）、合計金額、預かり金額、釣銭金額、レジ袋区分、必要枚数等のレシートデータを生成しプリンタ３５によりレシート（記憶媒体）に印字発行する。
【００５４】
一方、マイバッグフラグＦが“０”にリセットされている場合には（ステップＳＴ１９のＮＯ）、レジ袋取引が行われる（ステップＳＴ２１）。
【００５５】
すなわち、レジ袋取引の場合には、特典が付与されないので、ステップＳＴ２２の１商取引においては、レシート用紙に商品販売データとして商品情報、小計金額、合計金額、預かり金額、釣銭金額等のレシートデータを生成しプリンタ３５によりレシート（記憶媒体）に印字発行する。
【００５６】
このように第１の実施形態によれば、買物客が購入した商品を収納するレジ袋が自動的に提示されるのでオペレータの負担を軽減することが可能となる。
【００５７】
さらに、購入商品に対して適正なレジ袋サイズと必要枚数を算出すことによりレジ袋に費やされる経費を節減することが可能となる。
【００５８】
また、マイバッグを持参した買物客との商取引においてのみ特典としてポイントおよび割引額を付与することで、レジ袋の無駄を削減することが可能となる。
【００５９】
さらに、これらの実施により店舗および買物客に、使用するレジ袋を低減することとなるため環境保護の点からも有効となる。
【００６０】
（第２の実施形態）
第２の実施形態は、購入商品を収納するレジ袋を有料化するＰＯＳ端末１２について説明をする。
【００６１】
図８は、各ＰＯＳ端末１２のＣＰＵ２１が実行する１商取引の商品販売データ処理の主要なステップを示すフローチャートである。
【００６２】
図７において、既に説明したステップについては同じ符号をつけて、ここでの説明は省略する。
【００６３】
ＣＰＵ２１は、マイバッグフラグＦをチェックしてマイバッグ宣言が行われたマイバッグ取引であるかを判定する（ステップＳＴ１９）。ここで、マイバッグを持参して商品収納に使用した場合には、レジ袋を利用しないが特典が付与されない。また、マイバッグを持参しない場合には、図３に示すように、レジ袋販売単価で必要枚数を購入して商品を収納するためにレジ袋は有料となる。
【００６４】
マイバッグフラグＦが“１”にセットされている場合には（ステップＳＴ１９のＹＥＳ）、ＣＰＵ２１は、締め手段である締めキー２９ｈがタッチ操作されたか否かを判定する（ステップＳＴ２１）。
【００６５】
ここで、ＣＰＵ２１は、締めキー２９ｈがタッチ操作されたと判定すると（ステップＳＴ２１のＹＥＳ）、１商取引の締め処理を実行する（ステップＳＴ２２）。
【００６６】
ＣＰＵ２１は、現金取引の場合には、１商取引の商品販売データから算出された合計金額と、置数キー２９ａにより入力された預かり金額とから釣銭額を算出し、預かり金額とから釣銭額を前面表示器３１および客面表示器３３に表示させる。また、レシート用紙に商品販売データとして商品情報、小計金額、合計金額、預かり金額、釣銭金額等のレシートデータを生成しプリンタ３５によりレシートを印字発行する。
【００６７】
一方、マイバッグフラグＦが“０”にリセットされている場合には（ステップＳＴ１９のＮＯ）、レジ袋有料取引が行われる（ステップＳＴ１０１）。
【００６８】
すなわち、レジ袋有料取引の場合には（ステップＳＴ１０１）、レジ袋を図３に示すように、レジ袋マスターファイル１６のレジ袋販売単価で購入することになるので、ステップＳＴ１７またはステップＳＴ１８の処理において取得した１商取引におけるレジ袋区分と必要枚数に前記レジ袋販売単価を乗算しレジ袋販売価格を算出する。さらに、レジ袋販売価格を前面表示部４２および客面表示部４３に表示させる。
【００６９】
締め処理（ステップＳＴ２２）においては、レジ袋有料取引のレジ袋販売価格と小計金額とを加算した合計金額、預かり金額、釣銭金額、レジ袋区分、必要枚数等のレシートデータを生成しプリンタ３５によりレシートを印字発行する。
【００７０】
このように、第２の実施形態によれば、レジ袋を有料化することで、オペレータに負担を強いることなく、レジ袋の無駄が削減可能となる。これにより、環境保護の改善につながるようになる。
【００７１】
なお、この発明は前記実施形態に限定されるものではなく、実施の段階ではその要旨を逸脱しない範囲で構成要素を変形して具体化できる。
【００７２】
本実施形態では、商品の体積の合計値によってレジ袋のサイズおよびレジ袋枚数を決定するようにしているが、商品の重量に基づいてレジ袋のサイズおよび枚数を決定するようにしてもよい。
【００７３】
たとえば、本実施形態では、ＰＯＳ端末１２とオンラインで接続されたストアコンピュータ１３が商品マスターファイル１５、レジ袋マスターファイル１６を設定管理したが、ＰＯＳ端末１２自体がＨＤＤ４１に記憶管理することによって、単体のＰＯＳ端末１２により本発明の実施形態の商品販売データ処理装置を構成することも可能である。
【００７４】
また、会員カードを所有してない買物客には、ポイントに代わり購入商品に対して割引額で決済処理を実行することが可能となる。
【００７５】
以上説明したように、本発明は前記実施形態に限定されるものではなく、実施の段階ではその趣旨を逸脱しない範囲で種々に変形することが可能であるのは勿論である。
【符号の説明】
【００７６】
１１…ＰＯＳシステム、１２…ＰＯＳ端末、１３…ストアコンピュータ、１５…商品マスターファイル、１６…レジ袋マスターファイル、２１…ＣＰＵ、２２…ＲＯＭ、２３…ＲＡＭ、２９…キーボード、２９ｂ…マイバッグキー（マイバッグ宣言手段）、２９ｇ…小計キー、２９ｈ…締めキー（締め手段）、３１…前面表示器（表示器）、３３…客面表示器（表示器）、３５…プリンタ、３７…スキャナ（入力手段）。
【図１】
2013041522.tif 000003
【図２】
2013041522.tif 000004
【図３】
2013041522.tif 000005
【図４】
2013041522.tif 000006
【図５】
2013041522.tif 000007
【図６】
2013041522.tif 000008
【図７】
2013041522.tif 000009
【図８】
2013041522.tif 000010